(57)【特許請求の範囲】
【請求項１】
浴室の壁面に沿って設けられた横長の腰掛部材の上方に設けて使用する横長の浴室用背もたれであって、
もたれかかった人の背中を支える背当て面と、前記背当て面の上部に設けられ、前記背当て面から前記壁面側に突き出るように形成されて手で掴むことが可能な握り部と、を樹脂の中空成形部材として一体的に成形した横長の本体部と、
前記本体部を前記壁面に取り付けるブラケットと、
を備え、
前記本体部は、前記握り部にかかる荷重を前記ブラケットに逃がすために、前記本体部に内蔵されて前記ブラケットに取付けられる金属製の補強フレームと、前記本体部の左右両端を塞ぐ端部キャップと、を備えたことを特徴とする浴室用背もたれ。
【請求項２】
前記補強フレームは、前記本体部の中空部分の背面部から前記握り部にわたって前記本体部の内面に沿うような断面略Ｌ字形状に形成されたことを特徴とする請求項１の浴室用背もたれ。
【請求項３】
前記握り部の内面の少なくとも上面、下面、壁面側側面に、長手方向に連続する複数のリブを形成し、
前記複数のリブによって前記本体部の内部で前記補強フレームを位置決めしたことを特徴とする請求項２の浴室用背もたれ。
【請求項４】
前記背当て面と前記補強フレームの間に隙間が形成され、当該隙間を前記背当て面の後方に設けられる断熱層としたことを特徴とする請求項１の浴室用背もたれ。
【請求項５】
前記背当て面の背面から前記補強フレームに向けて長手方向に連続する複数のリブを形成したことを特徴とする請求項４の浴室用背もたれ。
【請求項６】
前記背当て面は、前記握り部にかけて、連続して壁面側に後退するように構成された曲面を形成したことを特徴とする請求項１の浴室用背もたれ。
【発明の詳細な説明】
【技術分野】
【０００１】
本発明は、浴室で用いられる背もたれで、特にイスやベンチなど座る機能を有する浴室に好適な浴室用背もたれに関する発明である。
【背景技術】
【０００２】
高齢者や足腰の不自由な人にとって、風呂椅子に座ったり、風呂椅子から立ち上がったりする動作は負担である。そのため、浴室壁面に寄りかかりつつゆったりとした姿勢をとれるベンチカウンターに着座した状態で楽に入浴することが望ましい。
ベンチカウンターに着座しながら壁面に寄りかかる際、壁の冷たさで不快感を感じることがあるので、浴室に背もたれを設けることがある。また、この背もたれを、ベンチカウンターに座る際の手摺りとして使うこともある。
例えば、特許文献１に示される従来の背もたれは、奥行き方向に平たい平板状の手すりを奥行き方向に湾曲させて、浴室の壁面に取付け、湾曲の凹部を背もたれとして利用するものであった。
【先行技術文献】
【特許文献】
【０００３】
【特許文献１】特開２００４−２１８３５７号公報
【発明の概要】
【発明が解決しようとする課題】
【０００４】
特許文献１に記載された背もたれは、バー材上部の握り部が平たく握りにくい。握りやすくするには、上部に握り部を設ければよいが、背もたれよりも握り部が幅広とならざるを得ない。その場合、握り部に荷重をかけた際に背もたれが破損する恐れがあった。
本発明は、かかる課題の認識に基づいてなされたものであり、破損しにくく、背もたれとしても手すりとしても快適に使用することができる背もたれを提供することを目的とする。
【課題を解決するための手段】
【０００５】
上記課題を解決するために、請求項１の発明は、浴室の壁面に沿って設けられた横長の腰掛部材の上方に設けて使用する横長の浴室用背もたれであって、もたれかかった人の背中を支える背当て面と、前記背当て面の上部に設けられ、前記背当て面から前記壁面側に突き出るように形成されて手で掴むことが可能な握り部と、を樹脂の中空成形部材として一体的に成形した横長の本体部と、前記本体部を前記壁面に取り付けるブラケットと、を備え、前記本体部は、前記握り部にかかる荷重を前記ブラケットに逃がすために、前記本体部に内蔵されて前記ブラケットに取付けられる金属製の補強フレームと、前記本体部の左右両端を塞ぐ端部キャップと、を備えたことを特徴とする。
【０００６】
これによれば、背もたれを、腰掛部に座った際の背当てとして、また、腰掛部上を移動する際の掴み部、あるいは、洗い場から立ち上がる際の掴み部として利用することが可能であり、背もたれとしても手摺りとしても快適に使用することができる。また、握り部にかかる荷重をブラケットに逃がすための補強フレームを内蔵しているので、背もたれが破損しにくく、安全性を向上させることができる。
【０００７】
請求項２の発明は、前記補強フレームは、前記本体部の中空部分の背面部から前記握り部にわたって前記本体部の内面に沿うような断面略Ｌ字形状に形成されたことを特徴とする。
【０００８】
これによれば、背もたれの後方に突き出る形状の握り部を強く握ったときに握り部にかかる力は、補強フレームを介してブラケットに直接伝わるので、背もたれの本体部を破損しにくくすることが可能である。
【０００９】
請求項３の発明は、前記握り部の内面の少なくとも上面、下面、壁面側側面に、長手方向に連続する複数のリブを形成し、前記複数のリブによって前記本体部の内部で前記補強フレームを位置決めしたことを特徴とする。
【００１０】
これによれば、握り部の変形を抑制し、破損を防止することができる。
【００１１】
請求項４の発明は、前記背当て面と前記補強フレームの間に隙間が形成され、当該隙間を前記背当て面の後方に設けられる断熱層としたことを特徴とする。
【００１２】
これによれば、断熱層によって金属製の補強フレームの温度が背当て面に伝わりにくくなるので、背当て面に背中を当てても補強フレームの冷たさを感じにくくすることが可能である。
【００１３】
請求項５の発明は、前記背当て面の背面から前記補強フレームに向けて長手方向に連続する複数のリブを形成したことを特徴とする。
【００１４】
これによれば、リブによって背当て面の撓み変形が抑制されるので、背当て面に体重をかけても補強フレームの冷たさを感じにくくなる。
【００１５】
請求項６の発明は、前記背当て面は、前記握り部にかけて、連続して壁面側に後退するように構成された曲面を形成したことを特徴とする。
【００１６】
これによれば、長時間背当て面に背中を当てても痛く感じないので、長時間快適に背もたれを使って入浴することが可能となる。
【発明の効果】
【００１７】
本発明は、破損しにくく、背もたれとしても手すりとしても快適に使用することができる背もたれを提供する。
【図面の簡単な説明】
【００１８】
【図１】本発明にかかる浴室用背もたれを取り付けた浴室ユニットを示す模式図である。
【図２】本発明にかかる浴室用背もたれの縦断面図である。
【図３】本発明にかかる浴室用背もたれの上面図である。
【発明を実施するための形態】
【００１９】
以下、図に基づいて本発明の実施の形態について説明する。
図１は本発明の浴室用背もたれを取り付けた浴室ユニットを示す図、図２は浴室用背もたれの縦断面図、図３は浴室用背もたれの上面図である。
【００２０】
図１に示す浴室ユニットＡは、洗い場１００と、浴槽２００と、鋼板製の壁パネルからなる壁面３００ａ，３００ｂと、天井（図示せず）と、出入口（図示せず）と、を備えている。
【００２１】
洗い場１００の一側面部には、ベンチカウンター（腰掛部）４００が設置されている。このベンチカウンター４００は、任意の壁面に図示せぬ支持材によって取り付けられている。また、ベンチカウンター４００は、座った状態で横に移動できるよう、横長形状になっている。この際、ベンチカウンター４００は、その端部が浴槽２００の側面に近づけて設置されているので、ベンチカウンター４００から浴槽２００に移乗入浴することが可能である。
【００２２】
このベンチカウンター４００の側方の壁面３００ａに、水栓装置５００、シャワー装置５１０、鏡５２０、棚５３０が設置されている。これにより、ベンチカウンター４００に座った状態で無理な姿勢をとることなく身体を洗ったり洗髪したりすることができる。
【００２３】
なお、図１においては、ベンチカウンター４００は、浴槽２００と、浴槽２００と相対する壁面３００ａとに亘って設けられているが、浴槽２００と相対する壁面３００ａに沿うようにしてベンチカウンター４００を取り付けてもよい。
【００２４】
このベンチカウンター４００の後方の壁面３００ｂに、ベンチカウンター４００より上方位置に背もたれ６００が設置されている。背もたれ６００は、ベンチカウンター４００の上方から浴槽２００の上方に亘る範囲に設置されている。この背もたれ６００は、ベンチカウンター４００に座った人の背当てとして、また、手摺として使うことが可能である。
【００２５】
図２に基づいて背もたれ６００について説明する。
背もたれ６００は、中空状の本体部６１０と、本体部６１０の中空部分に内蔵される補強フレーム６２０と、本体部６１０の中空部分の左右端部を封止する端部キャップ６３０と、本体部６１０を壁面３００ｂに取り付けるブラケット６４０と、で構成されている。
【００２６】
本体部６１０は、オレフィン系あるいは塩ビ系の熱伝導率の低い樹脂を押出し成形によって得ることができる長尺部材である。この本体部６１０は、背もたれ６００が取り付けられる壁面３００ｂとは反対側の面（前面）を前方側に緩やかに膨らませた曲面状の背当て面６１１としている。また、本体部６１０の背面の上端部を、壁面３００ｂ側（後方側）に約４０ｍｍ程度突き出るように膨らませて、手で握ることができる握り部６１２としている。また、本体部６１０の中空状の内面のうち背当て面６１１および握り部６１２に該当する部位に、それぞれ長手方向（本実施形態では水平方向）に走る複数の第一リブ６１３、第二リブ６１４を形成している。
背当て面６１１は、人の背中を広い面で安定的に支えることができるように、１２０ｍｍ〜２００ｍｍ程度の高さを有している。なお、本体部６１０の背当て面６１１部分の前後方向の厚みは約２０ｍｍであり、本体部６１０は薄型形状である。
なお、前方側に緩やかに膨らませた曲面状の背当て面６１１は、握り部６１２にかけて連続して壁面側に徐々に後退するように曲面状に構成された形状である。
【００２７】
補強フレーム６２０は、ステンレス等の金属製の長尺部材である。この補強フレーム６２０は、平面部６２１と、平面部６２１の上端から本体部６００の握り部６１２に沿うように後方側に向けて曲げ形成された鉤部６２２と、を有した断面が柄杓状をした略Ｌ字形状である。補強フレーム６２０は、本体部６１０の中空部分に、本体部６１０の側方から差し込まれ、本体部６１０と一体化される。本体部６１０と一体化された状態では、平面部６２１の背面は本体部６１０の中空部分の後方面に当接する。そして、鉤部６２２の周囲は前述した第二リブ６１４の複数本に当接することによって、本体部６１０内で補強フレーム６２０が位置決めされる。なお、補強フレーム６２０は、本体部６１０の背当て面６１１には接触していない。
【００２８】
本体部６１０に補強フレーム６２０を差し込んだ状態で、本体部６１０の左右端部は内部が解放されている。この解放部を塞ぐために、端部キャップ６３０を装着して本体部６１０の左右端部を封止する。
【００２９】
ブラケット６４０は、本体部６１０を所定の距離ごとに壁面３００ｂに取り付けるために複数個設けられる。ブラケット６４０は、壁面３００ｂに取り付けられる断面コ字状の第一部材６４１と、本体部６１０の背面に取り付けられる断面コ字状の第二部材６４２と、第一部材６４１と第二部材６４２とを合わせた状態で両者を締結する締結部材６４３と、第一部材６４１、第二部材６４２、締結部材６４３を覆い隠すカバー部材６４４と、で構成されている。ここで、第二部材６４２は、本体部６１０の背面に形成した貫通孔を貫通して、補強フレーム６２０に形成した雌ネジ孔にネジ６４５で止められている。補強フレーム６２０は、その上部が第二リブ６１４によって位置決めされているので、本体部６１０の背面からネジで留められても本体部６１０の背面から補強フレーム６２０が浮きにくくなっている。
なお、第一部材６４１と第二部材６４２は、好ましくはステンレス製である。
【００３０】
この背もたれ６００は、オレフィン系あるいは塩ビ系の熱伝導率の低い樹脂が表面に露出しているので、皮膚が触れた際に感じる冷たさは低減されている。また、本体部６１０に内蔵された金属製の補強フレーム６２０は、本体部６１０の中空部分の後方面に当接するが、背当て面６１１には接触しない。これにより、補強フレーム６２０の冷感は背当て面６１１に直接伝わることがない。また、本体部６１０の中空部分が背当て面６１１と補強フレーム６２０との間に形成される隙間となって空気層Ｓとなるので、断熱効果を発揮する。いわば、空気層Ｓが背当て面６１１の後方に設けられる断熱層となるため、より一層、補強フレーム６２０の冷感は背当て面６１１に伝わりにくくなる。さらに、本体部６１０の内面に設けた第一リブ６１３が背当て面６１１の撓み変形を抑制するので、背当て面６１１に荷重がかかっても背当て面６１１は変形しにくく、本体部６１０の中空部分が潰れることはない。よって、ベンチカウンター４００に座った人の背中を背当て面６１１にもたれさせても、冷たさを感じることはなく、背もたれとして快適に使用することができる。
【００３１】
なお、背中を背当て面にもたれさせた際に、背当て面６１１を少し撓ませるようにすれば、背当て面６１１にクッション性が付与されるので、背もたれとしてより快適に使うことが可能となる。
【００３２】
また、背当て面６１１は、緩やかに膨らむ曲面形状としているので、長い時間背中をもたれさせても苦痛を感じにくい。
【００３３】
さらに、背もたれ６００は、中空状の本体部６１０の左右端部を端部キャップ６３０で封止している。このため、シャワーの水や、背もたれ６００を水洗いした際の水が、本体部６１０の内部に浸入するのを防止することができる。
【００３４】
さらに、また、握り部６１２は、薄型形状の本体部６１０の上端部に設けられているので、握り部６１２に荷重がかかると本体部６１０が変形する恐れがある。しかし、本実施形態では、ブラケット６４０に締結されるとともに握り部６１２に一端が内蔵される補強フレーム６２０を備えている。そのため、握り部６１１にかかる荷重を直接ブラケット６４０に伝えて、ブラケット６４０で本体部６１０を支えることが可能である。よって、握り部６１１に荷重がかかっても本体部６１０は変形しにくく、本体部６１０の破損を防止することができる。
しかも、補強フレーム６２０は、本体部６１０の中空部分の背面部から握り部６１２にわたって本体部６１０の内面に沿うような断面略Ｌ字形状に形成されているので、背もたれ６００の後方に突き出る形状の握り部６１２を強く握ったとしても、握り部６１２にかかる力は、補強フレーム６２０を介してブラケット６４０に直接伝わるので、本体部６１０は破損されにくい。
【００３５】
また、握り部６１２の内部に設けた複数の第二リブ６１４の先端を補強フレーム６２０に当接させているので、握り部６１２を強く握っても変形しにくい。これにより、握り部６１２の破損を防止することができる。
【００３６】
次に背もたれ６００の使い方を説明する。
【００３７】
ベンチカウンター４００に座る際、背側にもたれる場合がある。その際、背もたれ６００の背当て面６１１にもたれかかることができる。
その際、ベンチカウンター４００の背側には鋼板製壁パネルからなる壁面３００ｂがあるので、壁面に背中が触れると冷たさを感じるが、本実施形態の背もたれ６００においては、表面が熱伝導率の低い樹脂製なので、冷たさは軽減されている。
【００３８】
また、ベンチカウンター４００から浴槽２００に移乗入浴する際、ベンチカウンター４００に座りながら浴槽２００へ移動し入浴する。この際、ベンチカウンター４００の上面から浴槽側に身体を移動させる際の負担を少なくするために、ベンチカウンター側から浴槽側に動線をつなぎ、背もたれ６００を利用して身体を引き寄せるのが有効である。
また、ベンチカウンター４００に座りながら浴槽２００を跨ぐ際には身体が不安定になりがちである。高齢者は、座りながら足を上げるには、身体を傾けながらでないと上げられない。そのため、掴むものが近くにあった方が安定して移乗ができる。本実施形態の背もたれ６００は、ベンチカウンター４００の上方数十ｃｍの位置に設置されているので、握り部６１２を掴んで身体を支え、安心且つ安全に移動することが可能である。
【００３９】
さらに、ベンチカウンター４００は、カウンターとして使用することもできる。ベンチカウンター４００をカウンター使用する場合、洗い場１００から立ち上がる際に、正面の背もたれ６００の握り部６１２を掴むことで、身体を支えて楽に立ち上がることが可能となる。
【００４０】
さらに、また、浴槽２００を立って跨ぐ際に背もたれ６００を利用することができる。
本実施形態の背もたれ６００によれば、背もたれ６００が横長になっているので、握り部６１２を両手で掴むことができ、両手と足との三点で身体を支えることができ、より安全に浴槽２００を跨ぐことが可能となる。
高齢者は足を上げる際、身体を前に倒さないと上げられない。身体が悪い場合には重心を低くするので、背もたれ６００の設置位置くらいの高さが掴み部として丁度良い高さである。その際、本実施形態の背もたれ６００によれば、握り部６１２の上面が平らであるので、身体を支える時に極めて有効である。
【００４１】
以上、本発明の実施の形態について説明した。しかし、本発明はこれらの記述に限定されるものではない。例えば、補強フレームは、柄杓状の略Ｌ字状の断面としたが、断面Ｐ字状とすることも可能である。また、背もたれの本体部は、内部に中空部が形成されれば、押出し成形以外の製法で製造されたものももちろん本発明に含まれるものである。さらに、背もたれの本体部の下部に水抜き穴を設けて、内部結露水を排出可能とすることもできる。
【符号の説明】
【００４２】
４００：腰掛部材（ベンチカウンター）
６００：背もたれ
６１０：本体部
６１１：背当て面
６１２：握り部
６１３：第一リブ
６１４：第二リブ
６２０：補強フレーム
６３０：端部キャップ
６４０：ブラケット
Ａ：浴室ユニット
Ｓ：空気層
【図１】
0005740794.tif 000002
【図２】
0005740794.tif 000003
【図３】
0005740794.tif 000004